(57)【要約】【課題】送信チャネルの帯域外漏洩電力及び実際送信電力の測定を実現する。【解決手段】無線周波数検出方法は、スケジューラユニットの時間周波数リソースに対する動的管理能力を利用してそれに制御された送信チャネルで測定ウィンドウの要求に従って、ゼロ電力送信ウィンドウを柔軟に開くことを実現する。検出装置は、スケジューラユニットと測定ユニットに測定ウィンドウ情報及び／又はゼロ電力送信ウィンドウ情報を伝送するの伝送チャネルが存在し、無線周波数検出ユニットが本発明に係るゼロ電力ウィンドウのオープン方法に従って、ローカル送信チャネルの隣接チャネルにおける既存の無線チャネル信号電力に対する測定及び／又は情報復調を実現できるだけではなく、ローカル送信機の帯域外漏洩電力及び／又は送信電力に対するオンライン測定も実現できる。【選択図】図１
2013533710.tif 000002
【特許請求の範囲】
【請求項１】
無線周波数検出方法であって、
無線周波数検出制御ユニットが測定アイテムに応じて検出ウィンドウのパラメータを決定するステップと、
無線周波数検出制御ユニットが検出ウィンドウのパラメータに応じて検出ウィンドウに干渉を与えた送信チャネルの電力低減ウィンドウのパラメータを決定するステップと、
無線周波数検出制御ユニットが、検出ウィンドウに干渉を与えた送信チャネルの所属するスケジューラユニットに電力低減ウィンドウ要求を送信するステップと、
前記スケジューラユニットが無線周波数検出制御ユニットに電力低減ウィンドウ要求確認情報を送信するステップと、
無線周波数検出制御ユニットが前記スケジューラユニットによってフィードバックされた電力低減ウィンドウ要求確認情報に応じて電力低減ウィンドウ要求が確認されたかどうかを判断し、確認された場合、無線周波数検出制御ユニットがスケジューラユニットによってフィードバックされた電力低減ウィンドウパラメータに応じて新たに開かれる検出ウィンドウパラメータを決定し、そして前記新規検出ウィンドウにおいて対応する無線周波数検出アイテムを完了させるように無線周波数検出実行ユニットを制御し、確認されない場合、無線周波数検出制御ユニットが今回の無線周波数検出アイテムの実行を停止するステップと
を含むことを特徴とする無線周波数検出方法。
【請求項２】
前記検出ウィンドウのパラメータは、検出ウィンドウのサイズ、検出ウィンドウの候補構成範囲、無線周波数データ収集方式を含み、
前記検出ウィンドウのパラメータを決定する方法は、
前記検出ウィンドウのサイズが、検出アイテムに対して１回の無線周波数サンプルデータ収集の実行のためにカバーされる必要のある時間及び周波数の２次元スケールによって決定され、
前記検出ウィンドウの候補構成範囲が、等価の無線周波数サンプルデータを取得できる検出ウィンドウの位置集合によって決定され、
前記無線周波数データ収集方式が、１回の無線周波数サンプルデータ収集により測定を完了する方式と、複数回の無線周波数サンプルデータ収集により測定を完了する方式との２種類の方式のうちのいずれか１種類である
ことを特徴とする請求項１に記載の無線周波数検出方法。
【請求項３】
無線周波数検出制御ユニットが、検出ウィンドウのパラメータに応じて検出ウィンドウに干渉を与えた送信チャネルの電力低減ウィンドウパラメータを決定する前記ステップは、電力低減ウィンドウのサイズの決定、電力低減ウィンドウの候補構成範囲の決定及び電力低減ウィンドウのオープン方式の決定を含み、
電力低減ウィンドウのサイズの決定方法は、電力低減ウィンドウにカバーされたタイムゾーンが前記検出ウィンドウにカバーされたタイムゾーン以上として決定され、送信チャネルに占有された周波数帯域に位置するとともに、その送信電力により前記検出ウィンドウに与えた干渉強度が所定閾値より大きい副周波数帯域幅が、電力低減ウィンドウのサイズとして決定されることであり、
電力低減ウィンドウの候補構成範囲の決定方法は、前記検出ウィンドウの候補構成範囲内におけるタイムゾーンを電力低減ウィンドウの候補時間範囲として、電力低減ウィンドウの周波数スケールの変更許容範囲を電力低減ウィンドウの候補構成範囲とすることであり、
電力低減ウィンドウのオープン方式の決定方法は、１回の無線周波数サンプルデータ収集方式に対して、１回の測定イベントで送信チャネルの位置する周波数帯域のみにおいて電力低減ウィンドウを１回開き、複数回の送信周波数サンプルデータ収集方式に対して、１回の測定イベントで送信チャネルの位置する周波数帯域において電力低減ウィンドウを複数回開くことである
ことを特徴とする請求項２に記載の無線周波数検出方法。
【請求項４】
無線周波数検出制御ユニットが、検出ウィンドウに干渉を与えた送信チャネルの所属するスケジューラユニットに電力低減ウィンドウ要求を送信する前記ステップは、
無線周波数検出制御ユニットが、その所属する無線端末のアップリンク無線チャネルを介して、検出ウィンドウに干渉を与えた送信チャネルの所属するスケジューラユニットに電力低減ウィンドウ要求を送信し、又は、無線周波数検出制御ユニットが、検出ウィンドウに干渉を与えた送信チャネルの所属するスケジューラユニットとの間のネットワーク側のチャネルを介して電力低減ウィンドウ要求を送信することであり、
前記電力低減ウィンドウ要求には、電力低減ウィンドウパラメータが含まれる
ことを特徴とする請求項３に記載の無線周波数検出方法。
【請求項５】
前記電力低減ウィンドウ要求には、プライオリティ情報が更に含まれ、前記プライオリティ情報は、送信チャネルにおいて電力低減ウィンドウを開くようにスケジューラユニットを強制すること、又は、スケジューラユニットにより現在のサービス状況に応じて、送信チャネルにおいて電力低減ウィンドウを開くかを決定すること、を示すように構成される
ことを特徴とする請求項４に記載の無線周波数検出方法。
【請求項６】
前記プライオリティ情報に応じて、前記スケジューラユニットが無線周波数検出制御ユニットに電力低減ウィンドウ要求確認情報を送信することは、
前記プライオリティ情報が送信チャネルにおいて電力低減ウィンドウを開くようにスケジューラユニットを強制することを示す場合、前記スケジューラユニットがそれによって制御された送信チャネルにおいて、電力低減ウィンドウ要求に含まれる情報に従って電力低減ウィンドウを開き、そして無線周波数検出制御ユニットに電力低減ウィンドウ要求確認情報を送信することであり、
前記プライオリティ情報がスケジューラユニットにより現在のサービス状況に応じて、送信チャネルにおいて電力低減ウィンドウを開くかを決定することを示す場合、前記スケジューラユニットが前記電力低減ウィンドウ要求に含まれる電力低減ウィンドウスケール及び候補構成範囲に応じて、それによって制御された送信ャネルチに占有されたアイドル時間周波数リソース又は使用不可能な時間周波数リソースには、要求を満たすリソースが存在するかどうかを判断し、要求を満たすリソースが存在しない場合、一部のユーザのデータ伝送速度を低減することで、又は一部のユーザのデータ伝送を短時間中断することで、必要なリソースを電力低減ウィンドウに提供することができるかどうかを判断し、電力低減ウィンドウに必要なリソースが満たされた場合、前記スケジューラユニットが前記無線周波数検出制御ユニットに電力低減ウィンドウ確認情報を送信し、電力低減ウィンドウに必要なリソースが満たされない場合、電力低減ウィンドウ開拓拒否の情報を送信することである
ことを特徴とする請求項５に記載の無線周波数検出方法。
【請求項７】
前記無線周波数検出アイテムは、
隣接チャネルにおける信号電力測定、
隣接チャネルにおけるアイドルタイムスロット測定、
隣接チャネルにおける信号の帯域外漏洩電力測定、
送信チャネルの帯域外漏洩電力の測定、
送信チャネルの最大送信電力の測定のうちの１つ以上を含む
ことを特徴とする請求項１に記載の無線周波数検出方法。
【請求項８】
ネットワーク側におけるスケジューラユニットが端末側における無線周波数検出制御ユニットの電力低減ウィンドウ要求に応じて、無線周波数検出実行ユニットのためにアップリンクチャネルの隣接チャネルの電力低減ウィンドウを開く場合、電力低減ウィンドウで現れたタイムゾーン及び周波数帯において、無線周波数検出制御ユニットの所属する端末のためにアップリンクリソースを構成せず、電力低減ウィンドウで現れたタイムゾーン及び周波数帯において、第１のアイドルバンドで前記スケジューラユニットによって制御された他の端末のためにアップリンクリソースを構成せず、
前記スケジューラユニットが送受信ユニットの受信チャネルを介して電力低減ウィンドウ確認情報を無線周波数検出制御ユニットに送信し、無線周波数検出制御ユニットがスケジューラユニットからの電力低減ウィンドウ確認情報に応じて、対応する検出ウィンドウ内において所定の測定アイテムを完了するように無線周波数検出実行ユニットを制御する
ことを特徴とする請求項１に記載の無線周波数検出方法。
【請求項９】
送信チャネルの最大送信電力をリアルタイムで確定する方法であって、
送信チャネルの隣接チャネルにおいて、請求項１に記載の無線周波数検出方法に従って前記隣接チャネルにおける送信チャネル漏洩電力の測定ウィンドウを決定し、隣接チャネルにおける送信チャネルの漏洩電力Ｐ（ａｃｌ）を測定し、そして隣接チャネルで漏洩電力が生じた時の送信チャネルの送信電力Ｐ（ｔ）を取得するステップと、
前記隣接チャネルの許容可能な干渉電力Ｐ（ｎｏｉｓｅ）と前記隣接チャネルにおける送信チャネルの漏洩電力Ｐ（ａｃｌ）との比Ｋを計算するステップと、
前記送信チャネルの送信電力Ｐ（ｔ）と前記比Ｋとの積を送信チャネルの最大送信電力に決定するステップとを含む
ことを特徴とする送信チャネルの最大送信電力をリアルタイムで確定する方法。
【請求項１０】
無線周波数検出装置であって、
無線周波数検出制御ユニットの要求に応じて、送受信ユニットの送信チャネルにおける電力低減ウィンドウの生成を制御するように構成される送受信ユニットと、
測定アイテムに応じて検出ウィンドウのパラメータを決定し、そして検出ウィンドウのパラメータに応じて検出ウィンドウに干渉を与えた送信チャネルの電力低減ウィンドウパラメータを決定するように構成され、電力低減ウィンドウの要求を送受信ユニットに送信し、そして電力低減ウィンドウ要求の確認情報における電力低減ウィンドウパラメータに応じて新たに開かれる検出ウィンドウパラメータを決定することに用いられ、前記無線周波数検出実行ユニットを制御するように構成される無線周波数検出制御ユニットと、
前記無線周波数検出制御ユニットの制御によって、前記送受信ユニットによって制御された送信チャネル又は送信チャネルの隣接チャネルにおける新たに開かれる検出ウィンドウにおいて、対応する無線周波数検出アイテムの無線周波数検出を完了するように構成される無線周波数検出実行ユニットと、
送受信ユニットとネットワーク側との間のデータ伝送、及び、無線周波数検出制御ユニット及び無線周波数検出実行ユニットとネットワーク側との間の測定制御及び測定データの伝送に用いられるインターフェースユニットとを含む
ことを特徴とする無線周波数検出装置。
【請求項１１】
前記送受信ユニット内又はネットワーク側に位置し、前記無線周波数検出制御ユニットから送信された電力低減ウィンドウ要求を受信し、そして無線周波数検出制御ユニットから提供された検出ウィンドウパラメータに応じて電力低減ウィンドウパラメータを決定し、そして電力低減ウィンドウパラメータを含む電力低減ウィンドウ要求確認情報を無線周波数検出制御ユニットに送信するように構成されるスケジューラユニットを更に含む
ことを特徴とする請求項１０に記載の無線周波数検出装置。
【請求項１２】
前記無線周波数検出実行ユニットは、
前記無線周波数検出制御ユニットの制御によって、アンテナユニットから受信された無線周波数検出信号をバンドパスフィルタリングするように構成される調整可能なバンドパスフィルタと、
前記無線周波数検出制御ユニットの制御によって、前記調整可能なバンドパスフィルタから出力された無線周波数信号に対して無線周波数信号電力減衰を行い、減衰後の無線周波数信号を受信チャネル処理ユニットに入力するように構成される無線周波数電力減衰器／カプラーと、
前記無線周波数検出制御ユニットの制御によって、送信チャネル及び／又は送信チャネルの隣接チャネルにおいて、無線周波数信号の低雑音増幅と周波数変換処理を行うように構成される受信チャネル処理ユニットと、
前記無線周波数検出制御ユニットの制御によって、受信チャネル処理ユニットからの信号に対してパラメータ推定及び／又は信号復調を行うように構成されるパラメータ推定及び信号復調ユニットと、
パラメータ推定及び信号復調ユニットの測定結果を記憶するように構成される測定データ記憶ユニットとを含む
ことを特徴とする請求項１０に記載の無線周波数検出装置。
【請求項１３】
無線周波数検出システムであって、
請求項１０に記載の無線周波数検出装置に基づいて実現される無線周波数アクセスポイント及び無線端末と、
ネットワーク側に位置し、前記無線アクセスポイントにおける無線周波数検出実行ユニット及び／又は前記無線端末における無線周波数検出実行ユニットの実行する必要な無線周波数検出アイテムを管理するように構成される隣接バンド測定管理ユニットとを含み、
具体的な管理されるコンテンツは、
前記無線アクセスポイント及び／又は無線端末側の無線周波数検出制御ユニットに前記無線アクセスポイント及び／又は無線端末の送信チャネルの隣接チャネルの事前情報を送信すること、
前記無線アクセスポイント及び／又は無線端末側の無線周波数検出制御ユニットに検出アイテムトリガー情報を送信すること、
前記無線アクセスポイント及び／又は無線端末の無線周波数検出制御ユニットから測定結果を受信すること、のうちの１つ以上を含む
ことを特徴とする無線周波数検出システム。
【請求項１４】
隣接バンドガードバンド幅の決定方法であって、
請求項１３に記載のシステムに基づいて実現され、
隣接バンド測定管理ユニットがネットワーク側のベースバンドユニットＢＢＵにおける無線周波数検出制御ユニットに隣接チャネル電力測定アイテムインディケーションを送信し、ネットワーク側ＢＢＵにおける無線周波数検出制御ユニットが、無線アクセスポイントにおける無線周波数検出実行ユニットを制御して第１のアイドルバンドにおける長期発展型時分割複信ＬＴＥ  ＴＤＤチャネルに隣接するテレビ放送チャネルに対して信号電力測定を行い、そしてこの測定結果Ｐ（ａ）を隣接バンド測定管理ユニットに報告するステップと、
隣接バンド測定管理ユニットが、前記隣接バンドの既存電力Ｐ（ａ）及び前記隣接チャネルに必要な信号／干渉比Ｒ（ｓ／ｎ）に応じて、隣接チャネルの許容可能な干渉電力Ｐ（ｎｏｉｓｅ）＝Ｐ（ａ）／Ｒ（ｓ／ｎ）を決定するステップと、
隣接バンド測定管理ユニットが、測定によって得られた又はＬＴＥ  ＴＤＤ送信チャネルの技術範囲によって得られた帯域外漏洩曲線に応じて、前記帯域外漏洩曲線でＬＴＥ  ＴＤＤ送信チャネルの、バンド幅と前記テレビ放送チャネルバンド幅とが等しい場合のバンドＢＷ（ＴＶ）、所定の送信電力で、帯域外漏洩Ｐ（ａｃｌ）と前記テレビ放送チャネルの許容可能な最大干渉電力Ｐ（ｎｏｉｓｅ）とが等しい場合のＢＷ（ＴＶ）の中心周波数ｆ３を算出するステップと、
隣接バンド測定管理ユニットが、ＢＷ（ＴＶ）の中心周波数ｆ３とＬＴＥ  ＴＤＤ送信チャネルの中心周波数ｆ１との距離に応じて、ガードバンド幅ＢＷ（ｇｕａｒｄ）を決定するステップと
を含むことを特徴とする隣接バンドガードバンド幅の決定方法。
【発明の詳細な説明】
【技術分野】
【０００１】
本発明は、無線通信技術分野に関し、特に、無線周波数検出方法、無線周波数検出装置及び無線周波数検出システムに関する。
【背景技術】
【０００２】
アイドル周波数バンドを利用して通信チャネルを動的に配置する場合、又は、同一地域内で隣接チャネル方式で異なる通信システムを配置する場合、システム間の隣接チャネル干渉を抑制するという共通の問題を解決する必要がある。隣接チャネル干渉に対する制御について、隣接周波数バンドの間に十分なガード周波数バンドを確保することが最も簡単な方法である。しかし、このような方法は、周波数スペクトル利用率が低いという欠点を有する。周波数スペクトルを効率よく利用するために、無線通信システムが利用可能なアイドル周波数バンドを自動的に識別し且つガードバンド幅、送信電力等のパラメータを自己適応的に設定する必要があるが、これらの能力の実現には、無線環境をリアルタイムに認識する必要があり、無線環境をリアルタイムに認識することは、特定の周波数バンドでの電力スペクトル分布及び特定の周波数バンドでの無線周波数装置の性能を検出し、推定する必要がある。無線周波数検出、又は無線環境認識の測定方法及び装置についての既存技術は、以下の通りである。
【０００３】
中国特許出願番号がＣＮ２００６１００１１２３５．６で、発明名称が「バンド情報収集システム及び方法」である特許出願には、所定のバンド情報システムが、複数のバンド測定装置、複数のバンド情報収集及び管理装置、複数の無線通信基地局（又はアクセスポイント）、複数の基地局コントローラ、複数の端末を含むことができるような技術内容が開示されている。バンド情報収集方法は、４つの基本的なステップを含む。ステップ１：バンド情報収集及び管理装置が異なるネットワークからのバンド事前情報を収集し、ステップ２：バンド情報収集及び管理装置がバンド情報測定を開始し、ステップ３：バンド情報収集及び管理装置がバンド測定情報を収集し、ステップ４：バンド情報収集及び管理装置がバンド全体情報を分析する。当該出願の技術案によれば、端末のバンド情報集取についての電力消耗、時間及び複雑度オーバーヘッドを低減でき、そしてマルチバンド通信ガイドも実現でき、ネットワーク側により特定領域におけるバンドの使用状況とアイドル状況を把握させ、端末が、適切な動作バンドを素早く選択できるように補助する。
【０００４】
バンド測定装置の測定は、次のような基本的な内容を含む。１）動作バンドに対する測定は、特定システムの動作バンドの中でどのタイムスロットがアイドル状態にあるかを把握するための動作バンドにおけるアイドルタイムスロットを測定する測定と、特定システムの動作バンドの中でどの期間がアイドル状態であるか、例えばデジタルテレビ放送のバンドに対する使用が一日で変化することを把握するためのアイドル期間の測定とを含む。これらのデータは、システムとして使用可能なバンドを正確に選び、必要なサービスを取得するように端末を案内し、及びシステムによりスペクトルを柔軟に使用してスペクトル環境を監視する基礎とされる。２）アイドルバンドに対する測定は、アイドルの決定測定と、アイドルバンドにおける干渉測定とを含み、これらのデータは、システムによりスペクトルを柔軟に使用してスペクトル環境を監視する基礎とされる。３）バンドにおける信号パラメータに対する測定は、例えば、特定バンドにおける特定信号と特定基地局信号との間の到達時間差を測定することであり、当該パラメータは、特定基地局にアクセスした端末が素早く必要な信号を取り込むことができるように補助し、異なる通信事業者の基地局がＴＤＤモードで基地局のダウンリンクタイムスロットの間の同期関係、特に、異なる通信事業者の基地局（ＴＤＤ基地局又はＴＤＤ／ＦＤＤハイブリッド・デュプレックス基地局）が同一の局サイトである場合のダウンリンクタイムスロットの間の同期関係（即ち２つの送信アンテナ間の送信信号の到達時間差ＴＤＯＡ）を測定することである。４）サービスタイプに対する測定は、例えば、各放送バンドにおける現在の放送情報と放送サービス内容を測定し、放送サービスのチャネル、番組内容、信号品質等のデータをリアルタイムで取得することである。具体的な測定アイテムは、バンド情報に応じて収集され、管理装置によって測定装置に送信される。
【０００５】
米国特許出願番号がＵＳ２００８００７５０５９Ａ１で、発明名称が「Ｍｅｔｈｏｄ  ａｎｄ  ａｐｐａｒａｔｕｓ  ｆｏｒ  ｒｅｄｕｃｉｎｇ  ｔｈｅ  ｇｕａｒｄ  ｂａｎｄ  ｂｅｔｗｅｅｎ  ｗｉｒｅｌｅｓｓ  ｃｏｍｍｕｎｉｃａｔｉｏｎ  ｓｙｓｔｅｍｓ  ｏｐｅｒａｔｉｎｇ  ｉｎ  ｔｈｅ  ｓａｍｅ  ｇｅｏｇｒａｐｈｉｃａｌ  ａｒｅａ：同一地域で無線通信システム間のガードバンド幅を低減する方法及び装置」である特許出願には、同一地域で動作する第１の無線通信システムと第２の無線通信システムとの間のガードバンド幅を低減するために、第１の無線通信システムにおける第１の無線アクセスポイントがビーコン信号（ｂｅａｃｏｎ  ｓｉｇｎａｌ）を送信し、第２の無線通信システムにおける第２の無線アクセスポイントが第２の無線通信システムのバンドでスキャンし、第２の無線アクセスポイントに対する第１の無線アクセスポイントの干渉を検査し、第１の無線アクセスポイントからの干渉が許容可能な閾値を超えていないと、第２の無線アクセスポイントを運行するような方法を採用することが開示されている。更に、指定された周波数バンドでビーコン信号を送信し、指定された周波数バンドに隣接する第２のバンドでスキャンする。当該特許出願に係る端末、又は無線ノード、又は無線装置は、第１の無線システムのために送信信号を準備するように構成される１つ以上の信号準備モジュールと、送信準備のための信号を提供するように構成される第１の無線システムにおける１つ以上の提供モジュールと、前記信号送信のための１つ以上の送信モジュールと、第１と第２の無線通信システムに存在する１つ以上の受信モジュールと、第２の無線通信システムに対する第１の無線通信システムの干渉を検出するための１つ以上の検出モジュールと、第２の無線通信システムに対する第１の無線通信システムの干渉が許容可能な閾値を超えていない場合、第２の無線システムを動作させる１つ以上の動作モジュールとを含む。
【０００６】
前記１つ以上の準備モジュールは、無線ビーコンを準備するように構成される。前記１つ以上の検出モジュールは、更に、第１の無線通信システムと第２の無線通信システムとの間の結合損失を計算するための１つ以上の結合損失モジュールを含む。前記１つ以上の検出モジュールは、更に、第２のシステムに対する第１のシステムの干渉を計算するための１つ以上の干渉計算モジュールを含む。
【０００７】
前記第１の無線システムと第２の無線システムは、同一の電信事業者より操作される、同一地域に位置し且つ隣接周波数バンドで動作するシステムである。隣接周波数バンド又はビーコン信号を周期的にスキャンすることで、第１の無線通信システム、第２の無線通信システムにおける端末、ノードの送信信号電力に応じて信号の強度及び結合損失を推定する。計算結果に応じて、無線通信システムが次のように調整される。（ａ）干渉が許容可能な閾値より低い場合、無線システムが正常に動作する。（ｂ）干渉が許容可能な閾値より高い場合、無線通信システムが送信電力、アンテナパターンを調整して干渉を許容可能な閾値以下に低くさせる。（ｃ）２つの無線通信システムが共に送信電力を下げる。
【０００８】
中国特許出願番号がＣＮ２００６１００１１２３５、ＣＮ２００６１０１５２４４１．９と米国特許出願番号がＵＳ２００８００７５０５９Ａ１である特許出願が開示した技術案には以下のような欠点が存在する。
【０００９】
送信チャネルの帯域外漏洩電力及び実際送信電力の測定方法は、新規のチャネルと既存のチャネルとの間の干渉を避け、及び装置故障の位置付けに用いる組み込みテスト（ＢＩＴ：Ｂｕｉｌｔ  Ｉｎ  Ｔｅｓｔ）を実現することに必要なものであるが、上記文献には開示されていない。隣接チャネル干渉を避ける前記方法は、ルート損耗を計算する必要があるため、実現が複雑で且つチャネル間の干渉を正確に制御することが困難である。
【発明の概要】
【発明が解決しようとする課題】
【００１０】
これを鑑みて、本発明の主な目的は、送信チャネルの帯域外漏洩電力及び実際送信電力の測定を実現するための無線周波数検出方法、無線周波数検出装置及び無線周波数検出システムを提供することにある。
【課題を解決するための手段】
【００１１】
前記目的を実現するために、本発明の技術案は以下のように実現される。
無線周波数検出の方法は、
無線周波数検出制御ユニットが測定アイテムに応じて検出ウィンドウのパラメータを決定するステップと、
無線周波数検出制御ユニットが検出ウィンドウのパラメータに応じて検出ウィンドウに干渉を与えた送信チャネルの電力低減ウィンドウのパラメータを決定するステップと、
無線周波数検出制御ユニットが、検出ウィンドウに干渉を与えた送信チャネルの所属するスケジューラユニットに電力低減ウィンドウ要求を送信するステップと、
前記スケジューラユニットが無線周波数検出制御ユニットに電力低減ウィンドウ要求確認情報を送信するステップと、
無線周波数検出制御ユニットが前記スケジューラユニットによってフィードバックされた電力低減ウィンドウ要求確認情報に応じて電力低減ウィンドウ要求が確認されたかどうかを判断し、確認された場合、無線周波数検出制御ユニットがスケジューラユニットによってフィードバックされた電力低減ウィンドウパラメータに応じて新たに開かれる検出ウィンドウパラメータを決定し、そして前記新規検出ウィンドウにおいて対応する無線周波数検出アイテムを完了させるように無線周波数検出実行ユニットを制御し、確認されていない場合、無線周波数検出制御ユニットが今回の無線周波数検出アイテムの実行を停止するステップとを含む。
【００１２】
前記検出ウィンドウのパラメータは、検出ウィンドウのサイズ、検出ウィンドウの候補構成範囲、無線周波数データ収集方式を含み、前記検出ウィンドウのパラメータを決定する方法は、前記検出ウィンドウのサイズが、検出アイテムに対して１回の無線周波数サンプルデータ収集の実行のためにカバーされる必要のある時間及び周波数の２次元スケールによって決定され、前記検出ウィンドウの候補構成範囲が、等価の無線周波数サンプルデータを取得できる検出ウィンドウの位置集合によって決定され、前記無線周波数データ収集方式が、１回の無線周波数サンプルデータ収集により測定を完了する方式と、複数回の無線周波数サンプルデータ収集により測定を完了する方式との２種類の方式のうちのいずれか１種類である。
【００１３】
好ましくは、無線周波数検出制御ユニットが、検出ウィンドウのパラメータに応じて検出ウィンドウに干渉を与えた送信チャネルの電力低減ウィンドウパラメータを決定する前記ステップは、電力低減ウィンドウのサイズの決定、電力低減ウィンドウ候補構成範囲の確定及び電力低減ウィンドウのオープン方式の決定を含む。
【００１４】
電力低減ウィンドウのサイズの決定方法は、電力低減ウィンドウにカバーされたタイムゾーンが前記検出ウィンドウにカバーされたタイムゾーン以上として決定され、送信チャネルに占有された周波数帯域に位置するとともに、その送信電力により前記検出ウィンドウに与えた干渉強度が所定閾値より大きい副周波数帯域幅が、電力低減の周波数領域の幅、すなわち、電力低減ウィンドウのサイズとして決定されることである。
【００１５】
電力低減ウィンドウの候補構成範囲の決定方法は、前記検出ウィンドウの候補構成範囲内におけるタイムゾーンを電力低減ウィンドウの候補時間範囲として、電力低減ウィンドウの周波数スケールの変更許容範囲を電力低減ウィンドウの候補周波数範囲、すなわち電力低減ウィンドウの候補構成範囲とすることである。
【００１６】
電力低減ウィンドウのオープン方式の決定方法は、１回の無線周波数サンプルデータ収集方式に対して、１回の測定イベントで送信チャネルの位置する周波数帯域のみにおいて電力低減ウィンドウを１回開き、複数回の送信周波数サンプルデータ収集方式に対して、１回の測定イベントで送信チャネルの位置する周波数帯域において電力低減ウィンドウを複数回開くことである。
【００１７】
好ましくは、無線周波数検出制御ユニットが、検出ウィンドウに干渉を与えた送信チャネルの所属するスケジューラユニットに電力低減ウィンドウ要求を送信する前記ステップは、
無線周波数検出制御ユニットが、その所属する無線端末のアップリンク無線チャネルを介して、検出ウィンドウに干渉を与えた送信チャネルの所属するスケジューラユニットに電力低減ウィンドウ要求を送信し、又は、無線周波数検出制御ユニットが、検出ウィンドウに干渉を与えた送信チャネルの所属するスケジューラユニットとのネットワーク側のチャネルを介して、電力低減ウィンドウ要求を送信し、
前記電力低減ウィンドウ要求には、電力低減ウィンドウパラメータ情報が含まれ、具体的に、電力低減ウィンドウの時間スケールと周波数スケール、電力低減ウィンドウの位置又は候補構成範囲、電力低減ウィンドウのオープン方式又はアピアランスアピアランス方式が含まれる。
【００１８】
好ましくは、前記電力低減ウィンドウ要求には、プライオリティ情報が更に含まれ、前記プライオリティ情報は、送信チャネルにおいて電力低減ウィンドウを開くようにスケジューラユニットを強制すること、又はスケジューラユニットにより現在のサービス状況に応じて、送信チャネルにおいて電力低減ウィンドウを開くかを決定することを示すように構成される。
【００１９】
好ましくは、前記プライオリティ情報に応じて、前記スケジューラユニットが無線周波数検出制御ユニットに電力低減ウィンドウ要求確認情報を送信することは、
前記プライオリティ情報が送信チャネルにおいて電力低減ウィンドウを開くようにスケジューラユニットを強制することを示す場合、前記スケジューラユニットがそれによって制御された送信チャネルにおいて、電力低減ウィンドウ要求に含まれる情報に従って電力低減ウィンドウを開き、そして無線周波数検出制御ユニットに電力低減ウィンドウ要求確認情報を送信することであり、
前記プライオリティ情報がスケジューラユニットにより現在のサービス状況に応じて、送信チャネルにおいて電力低減ウィンドウを開くかを決定することを示す場合、前記スケジューラユニットが前記電力低減ウィンドウ要求に含まれる電力低減ウィンドウスケール及び候補構成範囲に応じて、それによって制御された送信ャネルチに占有されたアイドル時間周波数リソース又は使用不可能な時間周波数リソースには、要求を満たすリソースが存在するかどうかを判断し、要求を満たすリソースが存在しない場合、一部のユーザのデータ伝送速度を低減することで、又は一部のユーザのデータ伝送を短時間中断することで、必要なリソースを電力低減ウィンドウに提供することができるかどうかを判断し、電力低減ウィンドウに必要なリソースが満たされた場合、前記スケジューラユニットが前記無線周波数検出制御ユニットに電力低減ウィンドウ確認情報を送信し、電力低減ウィンドウに必要なリソースが満たされない場合、電力低減ウィンドウオープン拒否の情報を送信することである。
【００２０】
好ましくは、前記無線周波数検出アイテムは、
隣接チャネルにおける信号電力測定、
隣接チャネルにおけるアイドルタイムスロット測定
隣接チャネルにおける信号の帯域外漏洩電力測定、
送信チャネルの帯域外漏洩電力の測定、
送信チャネルの最大送信電力の測定のうちの１つ以上を含む。
【００２１】
好ましくは、ネットワーク側におけるスケジューラユニットが端末側における無線周波数検出制御ユニットの電力低減ウィンドウ要求に応じて、無線周波数検出実行ユニットのためにアップリンクチャネルの隣接チャネルの電力低減ウィンドウを開く場合、電力低減ウィンドウで現れたタイムゾーン及び周波数帯において、無線周波数検出制御ユニットの所属する端末のためにアップリンクリソースを構成せず、電力低減ウィンドウで現れたタイムゾーン及び周波数帯において、第１のアイドルバンドで前記スケジューラユニットによって制御された他の端末のためにアップリンクリソースを構成せず、
前記スケジューラユニットが送受信ユニットの受信チャネルを介して電力低減ウィンドウ確認情報を無線周波数検出制御ユニットに送信し、無線周波数検出制御ユニットがスケジューラユニットからの電力低減ウィンドウ確認情報に応じて、対応する検出ウィンドウ内において所定の測定アイテムを完了するように無線周波数検出実行ユニットを制御する。
【００２２】
本発明に係る無線周波数検出方法に基づき、本発明に係る送信チャネルの最大送信電力をリアルタイムで確定する方法は、
送信チャネルの隣接チャネルにおいて、請求項１に記載の無線周波数検出方法に従って前記隣接チャネルにおける送信チャネル漏洩電力の測定ウィンドウを決定し、隣接チャネルにおける送信チャネルの漏洩電力Ｐ（ａｃｌ）を測定し、そして隣接チャネルで漏洩電力が生じた時の送信チャネルの送信電力Ｐ（ｔ）を取得するステップと、
前記隣接チャネルの許容可能な干渉電力Ｐ（ｎｏｉｓｅ）と前記隣接チャネルにおける送信チャネルの漏洩電力Ｐ（ａｃｌ）との比Ｋを計算するステップと、
前記送信チャネルの送信電力Ｐ（ｔ）と前記比Ｋとの積を送信チャネルの最大送信電力に決定するステップとを含む。
【００２３】
本発明に係る無線周波数検出方法を実現するための無線周波数検出装置は、アンテナユニットを含み、
無線周波数検出制御ユニットの要求に応じて、送受信ユニットの送信チャネルにおける電力低減ウィンドウの生成を制御するように構成される送受信ユニットと、
測定アイテムに応じて検出ウィンドウのパラメータを決定し、そして検出ウィンドウのパラメータに応じて検出ウィンドウに干渉を与えた送信チャネルの電力低減ウィンドウパラメータを決定するように構成され、電力低減ウィンドウの要求を送受信ユニットに送信し、そして電力低減ウィンドウ要求の確認情報における電力低減ウィンドウパラメータに応じて新たに開かれる検出ウィンドウパラメータを決定するように構成され、前記無線周波数検出実行ユニットを制御するように構成される無線周波数検出制御ユニットと、
前記無線周波数検出制御ユニットの制御によって、前記送受信ユニットによって制御された送信チャネル又は送信チャネルの隣接チャネルにおける新たに開かれる検出ウィンドウにおいて、対応する無線周波数検出アイテムの無線周波数検出を完了するように構成される無線周波数検出実行ユニットと、
送受信ユニットとネットワーク側との間のデータ伝送、及び、無線周波数検出制御ユニット及び無線周波数検出実行ユニットとネットワーク側との間の測定制御及び測定データの伝送に用いられるインターフェースユニットとを更に含む。
【００２４】
好ましくは、前記装置は、前記送受信ユニット又はネットワーク側に位置し、前記無線周波数検出制御ユニットから送信された電力低減ウィンドウ要求を受信し、そして無線周波数検出制御ユニットから提供された検出ウィンドウパラメータに応じて電力低減ウィンドウパラメータを決定し、そして電力低減ウィンドウパラメータを含む電力低減ウィンドウ要求確認情報を無線周波数検出制御ユニットに送信するように構成されるスケジューラユニットを更に含む。
【００２５】
好ましくは、前記無線周波数検出実行ユニットは、
前記無線周波数検出制御ユニットの制御によって、アンテナユニットから受信された無線周波数検出信号をバンドパスフィルタリングするように構成される調整可能なバンドパスフィルタと、
前記無線周波数検出制御ユニットの制御によって、前記調整可能なバンドパスフィルタから出力された無線周波数信号に対して無線周波数信号電力減衰を行い、減衰後の無線周波数信号を受信チャネル処理ユニットに入力するように構成される無線周波数電力減衰器／カプラーと、
前記無線周波数検出制御ユニットの制御によって、送信チャネル及び／又は送信チャネルの隣接チャネルにおいて、無線周波数信号の低雑音増幅と周波数変換処理を行うように構成される受信チャネル処理ユニットと、
前記無線周波数検出制御ユニットの制御によって、受信チャネル処理ユニットからの信号に対してパラメータ推定及び／又は信号復調を行うように構成されるパラメータ推定及び信号復調ユニットと、
パラメータ推定及び信号復調ユニットの測定結果を記憶するように構成される測定データ記憶ユニットとを含む。
【００２６】
本発明に係る無線周波数検出装置に基づき、本発明に係る無線周波数検出システムは、
本発明に係る無線周波数検出装置に基づいて実現される無線周波数アクセスポイント及び無線端末と、
ネットワーク側に位置し、前記無線アクセスポイントにおける無線周波数検出実行ユニット及び／又は前記無線端末における無線周波数検出実行ユニットの実行する必要な無線周波数検出アイテムを管理するように構成される隣接バンド測定管理ユニットとを含み、具体的な管理されるコンテンツは、
前記無線アクセスポイント及び／又は無線端末側の無線周波数検出制御ユニットに前記無線アクセスポイント及び／又は無線端末の送信チャネルの隣接チャネルの事前情報を送信すること、
前記無線アクセスポイント及び／又は無線端末側の無線周波数検出制御ユニットに検出アイテムトリガー情報を送信すること、
前記無線アクセスポイント及び／又は無線端末の無線周波数検出制御ユニットから測定結果を受信すること、のうちの１つ以上を含む。
【００２７】
本発明に係る無線周波数検出システムに基づき、本発明に係る隣接バンドガードバンド幅の決定方法は、
隣接バンド測定管理ユニットがネットワーク側のベースバンドユニットＢＢＵにおける無線周波数検出制御ユニットに隣接チャネル電力測定アイテムインディケーションを送信し、ネットワーク側ＢＢＵにおける無線周波数検出制御ユニットが、無線アクセスポイントにおける無線周波数検出実行ユニットを制御して第１のアイドルバンドにおける長期発展型時分割複信ＬＴＥ  ＴＤＤチャネルに隣接するテレビ放送チャネルに対して信号電力測定を行い、そしてこの測定結果Ｐ（ａ）を隣接バンド測定管理ユニットに報告するステップと、
隣接バンド測定管理ユニットが、前記隣接バンドの既存電力Ｐ（ａ）及び前記隣接チャネルに必要な信号／干渉比Ｒ（ｓ／ｎ）に応じて、隣接チャネルの許容可能な干渉電力Ｐ（ｎｏｉｓｅ）＝Ｐ（ａ）／Ｒ（ｓ／ｎ）を決定するステップと、
隣接バンド測定管理ユニットが、測定によって得られた又はＬＴＥ  ＴＤＤ送信チャネルの技術範囲によって得られた帯域外漏洩曲線に応じて、前記帯域外漏洩曲線でＬＴＥ  ＴＤＤ送信チャネルの、バンド幅と前記テレビ放送チャネルバンド幅とが等しい場合のバンドＢＷ（ＴＶ）、所定の送信電力で、帯域外漏洩Ｐ（ａｃｌ）と前記テレビ放送チャネルの許容可能な最大干渉電力Ｐ（ｎｏｉｓｅ）とが等しい場合のＢＷ（ＴＶ）の中心周波数ｆ３を算出するステップと、
隣接バンド測定管理ユニットが、ＢＷ（ＴＶ）の中心周波数ｆ３とＬＴＥ  ＴＤＤ送信チャネルの中心周波数ｆ１との距離に応じて、ガードバンド幅ＢＷ（ｇｕａｒｄ）を決定するステップとを含む。
【００２８】
本発明は、無線周波数測定方法において、既存のシステムのスケジューラユニットによる時間周波数リソースに対する動的管理能力を利用して、それに制御された送信チャネルで測定ウィンドウの要求を満たして、ゼロ電力送信ウィンドウを柔軟に開くことを実現する。測定装置において、本発明は、無線周波数検出ユニットを含む通信装置の構造を提供し、当該構造の特徴は、スケジューラユニットと測定ユニットに測定ウィンドウ情報及び／又はゼロ電力送信ウィンドウ情報の伝送チャネルが存在し、前記無線周波数検出ユニットが本発明に係るゼロ電力ウィンドウのオープン方法に従って、ローカル送信チャネルの隣接チャネルにおける既存の無線チャネル信号電力に対する測定及び／又は情報復調を実現できるだけでなく、ローカル送信機の帯域外漏洩電力及び／又は送信電力に対するオンライン測定も実現でき、その測定結果は、１）ローカル送信チャネルの隣接チャネルに存在するアイドルタイムスロット、２）アイドルバンドにおける無線チャネルとそれに隣接する既存の無線チャネルとの間のガードバンド幅の確定、３）ＢＩＴ（Ｂｕｉｌｔ  Ｉｎ  Ｔｅｓｔ：組み込みテスト、装置故障の位置付けに用いられる）の実現のような目的のうちの少なくとも１つに用いられてよい。システムにおいて、本発明は、本発明に記載の無線周波数検出ユニットを含む装置と隣接バンド／隣接チャネル測定管理ユニットを含むシステムを提供し、前記システムが本発明の前記方法によりその動作チャネルと異局アドレス送信の隣接チャネルとの間のガードバンドの幅を自己適応的に確定できる。
【図面の簡単な説明】
【００２９】
【図１】本発明に係る無線周波数検出方法のフローチャートである。
【図２ａ】測定ウィンドウと電力低減ウィンドウを示す図である。
【図２ｂ】測定ウィンドウと電力低減ウィンドウを示す図である。
【図２ｃ】測定ウィンドウと電力低減ウィンドウを示す図である。
【図３ａ】本発明に係る無線周波数検出装置の構造図である。
【図３ｂ】本発明に係る無線周波数検出装置の構造図である。
【図３ｃ】本発明に係る無線周波数検出装置の構造図である。
【図４】本発明に係る無線周波数検出実行ユニットの構造図である。
【図５】本発明に係る隣接チャネル無線周波数検出をサポートする無線周波数検出システムの構造図である。
【図６ａ】本発明に係る隣接チャネルの状態に応じてその送信チャネルパラメータを設定する無線固定アクセスシステムを示す図である。
【図６ｂ】本発明に係る隣接チャネルの状態に応じてその送信チャネルパラメータを設定する無線固定アクセスシステムを示す図である。
【図７】本発明に係る漏洩電力と隣接チャネルにおける信号電力の相対強度によってガードバンド幅を決定することを示す図である。
【発明を実施するための形態】
【００３０】
本発明の目的、技術案及び利点が更に明らかになるように、以下、実施形態を挙げて添付の図面を参照しながら、本発明を更に詳細に説明する。
【００３１】
図１は、本発明に係る無線周波数検出方法のフローチャートである。当該検出方法は、検出ウィンドウでの同一チャネル及び／又は隣接チャネル干渉をクリアして、無線周波数検出の正確度を向上させるように構成される。前記方法は、以下のようなステップを含む。
【００３２】
ステップＳ１０１：第１のタイムゾーンにおいて、無線周波数検出制御ユニットが測定アイテムに応じて検出ウィンドウのパラメータを決定する。
【００３３】
本発明に係る無線周波数検出装置における無線周波数検出制御ユニットは、実行される必要のある無線周波数検出アイテムに応じて検出ウィンドウのパラメータを決定する。前記実行必要な無線周波数検出アイテムは、次に挙げるもののうちの１つ以上の組み合わせである。
【００３４】
１）隣接チャネル干渉又は同一チャネル干渉が存在するチャネルに対して無線周波数信号電力測定を実行し、又は信号電力スペクトルを測定すること
２）隣接チャネル干渉又は同一チャネル干渉が存在するチャネルに対して帯域外漏洩電力測定を実行し、又は帯域外漏洩電力スペクトルを測定すること
３）隣接チャネル干渉又は同一チャネル干渉が存在するチャネルに対してパラメータ推定を実行し、チャネルに存在する１つ以上の信号のパラメータを含むこと
４）隣接チャネル干渉又は同一チャネル干渉が存在するチャネルに対して信号復調又はデコーディングを実行すること
【００３５】
無線周波数検出制御ユニットは、実行される必要のある無線周波数検出アイテムに応じて検出ウィンドウのパラメータを決定する具体的な方法は、
ステップＡ１：無線周波数検出制御ユニットが検出ウィンドウのサイズ及びその候補構成範囲を決定する。
【００３６】
無線周波数制御ユニットが検出ウィンドウのサイズを決定する具体的な方法は、検出アイテムに応じて１回の無線周波数サンプルデータ収集の実行のためにカバーされる必要のある時間及び周波数の２次元スケールによって決定し、１回の無線周波数サンプルデータ収集によってカバーされた時間及び周波数の２次元スケールは、本発明に記載の検出ウィンドウである。好ましくは、検出ウィンドウの候補構成範囲を決定し、検出ウィンドウの候補構成範囲は、即ち検出ウィンドウの具体的な時間及び／又は周波数位置の値に対して調整できる範囲であり、これは、検出ウィンドウを候補範囲でのいずれか１つの具体的な位置に構成することにより得られた検出結果が同じである。
【００３７】
検出ウィンドウの二次元スケールは、具体的に、検出ウィンドウにカバーされたバンド幅と現れた時間の長さを含む。検出ウィンドウの候補構成範囲とは、特定の測定アイテムを満たすことに必要な測定ウィンドウの位置が唯一ではないため、測定ウィンドウが１つの範囲内に現れることができ、このため、検出ウィンドウの具体的な位置が送信チャネルで解放可能な時間周波数リソースの位置によって決定され、ここで上記解放とは、送信チャネルが特定の時間位置と特定の時間周波数区間において電力低減ウィンドウを構成することである。
【００３８】
ステップＡ２：無線周波数検出ユニットが、検出アイテムを完了するために採用される無線周波数データ収集方式を確定する。即ち、次に挙げるもののうちのいずれか１つを決定する。
【００３９】
１）１回の無線周波数サンプルデータ収集により測定を完了すること
２）複数回の無線周波数サンプルデータ収集により測定を完了すること
【００４０】
前記無線周波数サンプルデータ収集方式は、送信チャネルの前記スケジューラユニットが電力低減ウィンドウを構成する方式を決定する。
【００４１】
前記検出ウィンドウパラメータは、検出ウィンドウのサイズ及びその候補構成範囲、検出アイテムに対応する無線周波数データ収集方式を含む。上記ステップに応じて検出ウィンドウパラメータを決定した後、ステップＳ１０２に進む。
【００４２】
ステップＳ１０２：第２のタイムゾーンにおいて、無線周波数検出制御ユニットが検出ウィンドウのパラメータに応じて検出ウィンドウに干渉を与えた送信チャネルの電力低減ウィンドウパラメータを決定する。
【００４３】
送信チャネルが電力低減ウィンドウにおける時間周波数リソースにおいて電力低減送信を行う方式は、以下の少なくとも１つを含む。
【００４４】
１）電力低減ウィンドウにおける全ての時間周波数リソースブロックにおいてゼロ電力で送信する。
２）電力低減ウィンドウにおける全ての時間周波数リソースブロックにおいて所定閾値より低い電力で送信する。電力低減送信方式の一つは、電力低減送信を実行する必要な時間周波数リソースブロックを、送信機からの距離が所定の距離閾値より小さい端末に割り当てることである。
３）電力低減ウィンドウにおける第１部分の時間周波数リソースブロックにおいて、ゼロ電力で送信し、電力低減ウィンドウにおける第２部分の時間周波数リソースブロックにおいて、電力低減で送信する。
【００４５】
無線周波数検出制御ユニットが検出ウィンドウのパラメータに応じて検出ウィンドウに干渉を与えた送信チャネルの電力低減ウィンドウパラメータを決定する具体的な方法は、電力低減ウィンドウのサイズの決定と電力低減ウィンドウの候補構成範囲の決定を含み、具体的な実現ステップは、以下の通りである。
【００４６】
ステップＢ１：無線周波数検出制御ユニットが検出ウィンドウのサイズ及びその候補構成範囲に応じて電力低減ウィンドウのサイズと候補構成範囲を決定する。
【００４７】
検出ウィンドウのサイズ及びその候補構成範囲に応じて電力低減ウィンドウのサイズ（時間スケールと周波数スケールを含む）と候補構成範囲（時間範囲と周波数範囲を含む）を決定する具体的な実現は、以下の通りである。
【００４８】
電力低減ウィンドウの時間スケールの決定方法は、電力低減ウィンドウによってカバーされたタイムゾーンを、検出ウィンドウによってカバーされたタイムゾーン以上に決定することであり、
電力低減ウィンドウの周波数スケールの決定方法は、電力低減送信チャネルによって占有されたバンドにおける、その送信電力が前記検出ウィンドウに与えた干渉強度が所定閾値より大きいサブバンドの幅を電力低減ウィンドウの周波数領域の幅に決定し、当該電力低減ウィンドウの周波数バンドの幅のサイズが検出ウィンドウの候補構成範囲における周波数スケールの変化に従って変化することであり、
電力低減ウィンドウの候補構成範囲における時間範囲の決定方法は、検出ウィンドウの候補構成範囲におけるタイムゾーンを電力低減ウィンドウの候補時間範囲にすることであり、
電力低減ウィンドウの候補構成範囲における周波数範囲の決定方法は、電力低減ウィンドウの周波数スケールにより許容可能な変化範囲を電力低減ウィンドウの候補周波数範囲にすることである。
【００４９】
ステップＢ２：無線周波数検出制御ユニットが無線周波数データ収集方式に応じて電力低減ウィンドウのオープン方式を決定する。
【００５０】
具体的に、電力低減ウィンドウのオープン方式は、以下のような方式のうちのいずれか１つである。
【００５１】
１）１回の無線周波数サンプルデータ収集によって完了できる検出に対しては、１回の測定イベントにおいて、送信チャネルの位置するバンドのみにおいて電力低減ウィンドウを１回開く。
２）複数回の無線周波数サンプルデータ収集によって完了できる検出に対しては、１回の測定イベントにおいて、送信チャネルの位置するバンドにおいて電力低減ウィンドウを複数回開き、例えば、１つの無線フレーム期間内において１つの電力低減ウィンドウを開き、そして複数の無線フレームにおいて電力低減ウィンドウを周期的に或いは非周期的に開く。
【００５２】
上記ステップにより、電力低減ウィンドウパラメータを決定した後、ステップＳ１０３に進む。
【００５３】
ステップ１０３：第３のタイムゾーンにおいて、無線周波数検出制御ユニットが検出ウィンドウに干渉を与えた送信チャネルの所属するスケジューラユニットに電力低減ウィンドウ要求を送信する。
【００５４】
無線周波数検出制御ユニットが検出ウィンドウに干渉を与えた送信チャネルの所属するスケジューラユニットに電力低減ウィンドウ要求を送信する方式は、以下のいずれか１つである。
【００５５】
１）無線周波数検出制御ユニットがその所属する無線周波数検出装置の所属する無線端末のアップリンク無線チャネルを介して、検出ウィンドウに干渉を与えた送信チャネルの所属するスケジューラユニットに電力低減ウィンドウ要求を送信し、ここで、アップリンクチャネルは、アップリンクスケジュール要求チャネル、アップリンクランダムアクセスチャネルのうちのいずれか１つである。
２）無線検出制御ユニットが、それと検出ウィンドウに干渉を与えた送信チャネルの所属するスケジューラユニットとの間のネットワーク側のチャネルを介して電力低減ウィンドウ要求を送信する。
【００５６】
電力低減ウィンドウ要求に含まれる電力低減ウィンドウパラメータ情報は、具体的に、以下のものを含む。
【００５７】
１）電力低減ウィンドウの時間スケールと周波数スケール、即ち電力低減ウィンドウのサイズ
２）電力低減ウィンドウの位置又は候補構成範囲
３）電力低減ウィンドウのオープン方式或いはアピアランス方式
【００５８】
好ましくは、電力低減ウィンドウ要求がプライオリティ情報を更に含み、当該プライオリティ情報が以下のような情報のうちのいずれか１つを含む。
【００５９】
１）送信チャネルにおいて電力低減ウィンドウを開くようにスケジューラユニットを強制する。
２）スケジューラユニットにより現在のサービス状況に応じて送信チャネルにおいて電力低減ウィンドウを開くかどうかを決定する。
【００６０】
ステップＳ１０４：第４のタイムゾーンにおいて、検出ウィンドウに干渉を与えた送信チャネルの所属するスケジューラユニットが無線検出制御ユニットに電力低減ウィンドウ要求確認情報を送信する。
【００６１】
検出ウィンドウに干渉を与えた送信チャネルの所属するスケジューラユニットが無線検出制御ユニットに電力低減ウィンドウ要求確認情報を送信する時、プライオリティ情報に応じて以下のような２つの方式に分けて実行する。
【００６２】
無線周波数検出制御ユニットから送信された電力低減ウィンドウオープンの要求に含まれるプライオリティが「送信チャネルにおいて電力低減ウィンドウを開くようにスケジューラユニットを強制する」であると、スケジューラユニットが、前記要求を受信した後、それに制御された送信チャネルで電力低減ウィンドウ要求に含まれる情報、即ち電力低減ウィンドウの時間スケールと周波数スケール、電力低減ウィンドウの位置又は候補構成範囲、電力低減ウィンドウのアピアランス方式に従って、対応する送信チャネルにおいて電力低減ウィンドウを開き、そして無線周波数検出制御ユニットに電力低減ウィンドウ要求確認情報を送信する。送信された電力低減ウィンドウ要求確認情報は、以下のような情報のうちのいずれか１つである。
【００６３】
１）電力低減ウィンドウ要求に含まれるものが電力低減ウィンドウの時間スケールと周波数スケール、電力低減ウィンドウの位置、電力低減ウィンドウのアピアランス方式のこれらによって決定されたパラメータである場合、電力低減ウィンドウ要求確認情報に確認インディケーション情報が含まれ、要求された電力低減ウィンドウパラメータに従って電力低減ウィンドウを開いたことを示す。
２）電力低減ウィンドウ要求情報に含まれるものが電力低減ウィンドウの時間スケールと周波数スケール、電力低減ウィンドウのアピアランス方式のこれらによって決定されたパラメータと電力低減ウィンドウの候補位置範囲のこれらの不定のパラメータである場合、電力低減ウィンドウ要求確認情報がスケジューラユニットに設定された具体的な電力低減ウィンドウの位置のパラメータを更に含む。
【００６４】
無線周波数検出制御ユニットから送信された電力低減ウィンドウのオープン要求に含まれるプライオリティが「スケジューラユニットが現在のサービス状況に応じて送信チャネルに電力低減ウィンドウを開くかどうかを決定する」であると、スケジューラユニットの具体的な実行は、以下のようなサブステップを含む。
【００６５】
ステップＣ１：検出ウィンドウに干渉を与えた送信チャネルの所属するスケジューラユニットが、それに受信された電力低減ウィンドウ要求情報に含まれる電力低減ウィンドウスケールと候補構成範囲に応じて、以下のように判断する。
【００６６】
１）それに制御された送信チャネルによって占有されたアイドル時間周波数リソースには、要求を満たすリソースが存在するかどうかを判断する。
２）それに制御された送信チャネルによって占有された使用不可能な時間周波数リソースには、要求を満たすリソースが存在するかどうかを判断する。使用不可能な時間周波数リソースの例として、例えば、送信チャネルにサービスされた全ての端末がそれにおいて深度減衰にある時間周波数リソースである。
【００６７】
前記要求を満たすことは、要求された時間周波数リソースの候補時間周波数位置範囲で、送信チャネルのアイドルリソースには、ゼロ電力送信ウィンドウに含まれる時間周波数リソースブロックが存在することを示す。
【００６８】
アイドルリソースが要求を満たした場合、ステップＣ３に進み、アイドルリソースが要求を満たさない場合、ステップＣ２に進む。
【００６９】
ステップＣ２：スケジューラユニットが、一部のユーザのデータ伝送速度を低減することで、又は一部のユーザのデータ伝送を短時間中断することで、必要なリソースを電力低減ウィンドウに提供することができるかどうかを判断する。提供できる場合、ステップＣ３に進み、提供できない場合、無線周波数検出制御ユニットに電力低減ウィンドウオープン拒否の情報を送信する。
【００７０】
ステップＣ３：スケジューラユニットが、無線周波数検出制御ユニットに電力低減ウィンドウ確認情報を送信し、１）送信チャネルに開かれた電力低減ウィンドウの具体的な時間周波数位置、２）送信チャネルに電力低減ウィンドウが最初に現れた時間のようなパラメータを少なくとも含む。
【００７１】
ステップＳ１０５：第５のタイムゾーンにおいて、無線周波数検出制御ユニットがスケジューラユニットから送信された電力低減ウィンドウ確認情報に応じて電力低減ウィンドウ要求が確認されたかどうかを判断し、電力低減ウィンドウ要求が確認された場合、ステップＳ１０６に進み、電力低減ウィンドウ要求が確認されない場合、ステップＳ１０７に進む。
【００７２】
ステップＳ１０６：第６のタイムゾーンにおいて、無線周波数検出制御ユニットがスケジューラユニットから送信された電力低減ウィンドウパラメータに応じて最終的な検出ウィンドウのパラメータを決定し、そして無線周波数検出実行ユニットが検出ウィンドウで対応する無線周波数検出アイテムを完了するように制御する。
【００７３】
具体的な実現ステップは、以下のようなサブステップである。
【００７４】
ステップＤ１：スケジューラユニットが電力低減ウィンドウ要求確認メッセージを介して送信した電力低減ウィンドウパラメータに応じて、新たに開かれる検出ウィンドウパラメータを決定する。
【００７５】
スケジューラユニットから送信されたパラメータは、
１）送信チャネルにおける電力低減ウィンドウの具体的な位置
２）送信チャネルにおける電力低減ウィンドウの初回アピアランス時間
を含む。
【００７６】
新たに開かれる検出ウィンドウパラメータは、
１）検出ウィンドウの具体的な位置
２）検出ウィンドウの初回使用時間
３）検出ウィンドウの使用方式
である。検出ウィンドウの使用方式は、具体的には、１回使用、周期的に使用又は他の方式の使用である。
【００７７】
ステップＤ２：検出ウィンドウで特定の無線周波数検出アイテムを完了する。
【００７８】
具体的な無線周波数検出アイテムは、以下のような１つ以上である。
【００７９】
１）隣接チャネルにおける信号電力測定は、隣接チャネルにおける信号電力又は電力スペクトル密度測定、及び／又は隣接チャネルにおける信号電力測定と信号復調を含み、復調信号が隣接チャネルでほかの地理位置での送信機によって送信されたビーコン信号を含む。
２）隣接チャネルにおけるアイドルタイムスロット測定について、図２（ｂ）における隣接チャネル幅２０５に存在するアイドルタイムスロット２０４を参照してください。
３）隣接チャネルにおける信号の帯域外漏洩電力測定について、具体的に、図２（ｃ）に示す電力低減ウィンドウ２１０内で、測定ウィンドウ２１２で隣接チャネルの帯域外漏洩電力を測定する。
４）送信チャネル帯域外漏洩電力の測定について、具体的に、隣接チャネルにおけるアイドルタイムスロット２０４に対応するタイムゾーンにおいて、送信チャネルにおける送信信号２０４の帯域外漏洩電力を測定する。
５）送信チャネルの最大送信電力をリアルタイムで測定する。
【００８０】
ステップＳ１０７：無線周波数検出制御ユニットが今回の無線周波数検出アイテムの実行を停止する。
【００８１】
このような場合で、無線検出制御ユニット４００が今回の測定を終了する。
【００８２】
ステップＳ１０１〜Ｓ１０７に示された測定ウィンドウの確定方法に従って、本発明が更に、送信チャネルの最大送信電力をリアルタイムで決定する方法を提供する。前記送信チャネルの最大送信電力をリアルタイムで決定する方法は、具体的に以下のようなサブステップを含む。
【００８３】
ステップＥ１：送信チャネルの隣接チャネルにおいて、ステップＳ１０１〜Ｓ１０７に従って送信チャネルの隣接チャネルにおける検出ウィンドウを決定し、無線周波数検出制御ユニットが、無線周波数検出実行ユニットが隣接チャネルの検出ウィンドウで信号電力を測定するように制御する。
【００８４】
送信チャネルの隣接チャネルにおける検出ウィンドウを決定する場合、以下のような２つの情況に分けて処理する。
【００８５】
隣接チャネルにおける信号の存在するタイムゾーンを認識していた場合、検出ウィンドウを、既存の信号が存在するタイムゾーンに構成し、
隣接チャネルにおける信号の存在するタイムゾーンを認識していない場合、検出ウィンドウを、隣接チャネルの全ての信号が存在する可能なタイムゾーンに構成し、例えば、送信チャネルの無線フレーム期間全体を隣接チャネルにおける測定ウィンドウのタイムゾーンにする。
【００８６】
ステップＥ２：隣接チャネルの許容可能な送信チャネルの干渉電力を決定する。
【００８７】
具体的な方法は、隣接チャネルの既存電力Ｐ（ａ）と隣接チャネルに必要な信号／干渉比Ｒ（ｓ／ｎ）に応じて、隣接チャネルの許容可能な送信チャネルの干渉電力Ｐ（ｎｏｉｓｅ）を決定する。
【００８８】
Ｐ（ｎｏｉｓｅ）＝Ｐ（ａ）／Ｒ（ｓ／ｎ）
【００８９】
例えば、信号／干渉比Ｒ（ｓ／ｎ）＝ｘｄＢであり、典型的には、ｘ＝１０ｄＢである。
【００９０】
ステップＥ３：隣接チャネルにおける送信チャネルの漏洩電力値が隣接チャネルの許容可能な干渉電力Ｐ（ｎｏｉｓｅ）に等しい場合の送信チャネルが達成できる送信電力を、送信チャネルの最大送信電力に決定する。
【００９１】
送信チャネルの最大送信電力を決定する具体的な方法は、以下の２種類がある。
【００９２】
第１の方法：送信チャネル漏洩電力をリアルタイムで測定することで、送信チャネルの最大送信電力を計算する。
【００９３】
送信チャネルの隣接チャネルにおいて、ステップＳ１０１〜Ｓ１０７に従って、送信チャネルの隣接チャネルにおける送信チャネル漏洩電力の測定ウィンドウを決定し、隣接チャネルにおける送信チャネルの漏洩電力Ｐ（ａｃｌ）を測定し、そして隣接チャネルに漏洩電力Ｐ（ａｃｌ）が生じた時の送信チャネルの送信電力Ｐ（ｔ）を取得する。
【００９４】
隣接チャネルの許容可能な干渉電力Ｐ（ｎｏｉｓｅ）と隣接チャネルにおける送信チャネルの漏洩電力Ｐ（ａｃｌ）との比Ｋを、Ｋ＝Ｐ（ｎｏｉｓｅ）／Ｐ（ａｃｌ）によって計算する。
【００９５】
最大送信電力Ｐ（ｔ）＿ｍａｘは、送信チャネルの、前記帯域外漏洩電力Ｐ（ａｃｌ）が生じた送信チャネルの送信電力Ｐ（ｔ）を比率Ｋに掛けることによって得られる。
【００９６】
Ｐ（ｔ）＿ｍａｘ＝Ｐ（ｔ）＊Ｋ
【００９７】
第２の方法：送信チャネル帯域外漏洩電力に対する事前データで送信チャネルの最大送信電力を計算する。
【００９８】
送信チャネルの帯域外漏洩技術仕様に規定された指標ＡＣＬＲに応じて、送信チャネルが１つ単位の電力Ｐ（ｕｎｉｔ）で送信する時、その前記隣接チャネルにカバーされたバンド幅における漏洩電力Ｐ（ａｃｌ）＿ｕｎｉｔを計算し、
隣接チャネルの許容可能な干渉電力Ｐ（ｎｏｉｓｅ）と隣接チャネルにおける送信チャネルの漏洩電力Ｐ（ａｃｌ）＿ｕｎｉｔとの比Ｋ＿ｕｎｉｔを、Ｋ＿ｕｎｉｔ＝Ｐ（ｎｏｉｓｅ）／Ｐ（ａｃｌ）＿ｕｎｉｔによって計算し、
最大送信電力Ｐ（ｔ）＿ｍａｘは、送信チャネルの前記帯域外漏洩電力Ｐ（ａｃｌ）＿ｕｎｉｔが生じた送信チャネルの送信電力Ｐ（ｕｎｉｔ）を比Ｋ−ｕｎｉｔに掛けることによって得られる。
【００９９】
Ｐ（ｔ）＿ｍａｘ＝Ｐ（ｕｎｉｔ）＊Ｋ−ｕｎｉｔ
【０１００】
本発明に係る無線周波数検出方法に基づき、本発明は、隣接チャネル干渉又は同一チャネル干渉が存在するチャネルに対して無線周波数検出を行うように構成されることに対応する無線周波数検出装置を提供する。
【０１０１】
本発明の一つの具体的な実施形態に係る無線周波数検出装置は、図３（ａ）に示すように、具体的には、無線周波数検出機能を持つ無線アクセスポイントであり、当該装置は、送受信ユニット３０１ａ、無線周波数検出実行ユニット４０３、無線周波数検出制御ユニット４００、アンテナユニット３０４、インターフェースユニット３０３ａを含む。
【０１０２】
送受信ユニット３０１ａは、無線通信プロトコル中の通信基地局の技術仕様に従って設計され、ベースバンド処理ユニット（ＢＢＵ）３０５ａ、リモート無線周波数ユニット（ＲＲＵ）を含む。送受信ユニット３０１ａに含まれるＢＢＵとＲＲＵは、ＢＢＵとＲＲＵを１つの統合された物理デバイスとして一体に設計されることと、ＢＢＵとＲＲＵを単独の物理デバイスとして異なる地理位置において構成されることの２種類の実現方式がある。
【０１０３】
送受信ユニット３０１ａに含まれるＢＢＵ３０５ａにおけるスケジューラユニット３０２は、送受信ユニット３０２ａのアップ・ダウンリンクチャネルで既存の無線通信プロトコルに規定された端末に時間周波数リソースを動的に割り当てることを実現する機能だけではなく、無線周波数検出制御ユニット４００との通信インターフェースを備え、無線周波数検出制御ユニット４００からの要求情報に応じて送受信ユニット３０１ａの送信チャネルにおける電力低減ウィンドウの生成を制御する。
【０１０４】
当該実施形態における無線周波数検出制御ユニット４００は、スケジューラユニット３０２に制御された送信チャネル又は送信チャネルの隣接チャネルにおける無線周波数検出実行ユニット４０３の無線周波数検出を制御するように構成され、そして、無線周波数検出制御ユニット４００は、更に、前記送受信ユニットにおけるスケジューラユニット３０２に、送信チャネルにおいて開かれた電力低減ウィンドウの要求情報を送信し、及び前記送受信ユニットにおけるスケジューラユニット３０２から電力低減ウィンドウ要求の確認情報を受信するように構成される。
【０１０５】
無線周波数検出制御ユニット４００は、測定アイテムに応じて検出ウィンドウのパラメータを決定し、そして検出ウィンドウのパラメータに応じて検出ウィンドウに干渉を与えた送信チャネルの電力低減ウィンドウパラメータを決定するように構成され、更に、電力低減ウィンドウの要求を送受信ユニットに送信し、そして電力低減ウィンドウ要求の確認情報における電力低減ウィンドウパラメータに応じて新たに開かれる検出ウィンドウパラメータを決定するように構成され、更に、スケジューラユニット３０２によって制御された送信チャネル又は送信チャネルの隣接チャネルにおいて、無線周波数検出アイテムの無線周波数検出を実行するように前記無線周波数検出実行ユニット４０３を制御するように構成される。
【０１０６】
無線周波数検出実行ユニット４０３は、前記無線周波数検出制御ユニットの制御によって、前記送受信ユニットによって制御された送信チャネル又は送信チャネルの隣接チャネルにおける新たに開かれる検出ウィンドウにおいて、対応する無線周波数検出アイテムの無線周波数検出を完了するように構成される。
【０１０７】
インターフェースユニット３０３ａは、送受信ユニット３０１ａとネットワーク側とのデータ伝送、及び無線周波数検出制御ユニット４００及び無線周波数検出実行ユニット４０３とネットワーク側との間の測定制御と測定データの伝送に用いられる。
【０１０８】
本発明の一つの具体的な実施形態に係る無線周波数検出装置は、図３（ｂ）に示すように、具体的には、無線周波数検出機能を持つ無線端末であり、当該装置は、送受信ユニット３０１ｂ、無線周波数検出実行ユニット４０３、無線周波数検出制御ユニット４００、アンテナユニット３０４、インターフェースユニット３０３ｂを含む。
【０１０９】
送受信ユニット３０１ｂは、無線通信プロトコル中の通信端末の技術仕様に従って設計され、ベースバンド処理ユニット（ＢＢＵ）３０５ｂ、ローカル無線周波数ユニット（ＬＲＵ）を含む。送受信ユニット３０１ｂに含まれるＢＢＵとＬＲＵは、１つの物理デバイスとして一体に設計される。
【０１１０】
当該実施形態における無線周波数検出制御ユニット４００は、無線周波数検出実行ユニット４０３の、ネットワーク側のスケジューラユニット３０２に制御された送受信ユニット３０１における送信チャネル又は送信チャネルの隣接チャネルにおける無線周波数検出を制御するように構成され、そして、無線周波数検出制御ユニット４００は、更に、ネットワーク側のスケジューラユニット３０２に、送受信ユニット３０１の送信チャネルに開かれた電力低減ウィンドウの要求情報を送信し、及びネットワーク側のスケジューラユニット３０２から電力低減ウィンドウ要求の確認情報を受信するように構成される。無線周波数検出制御ユニット４００に送信した電力低減ウィンドウ要求の確認情報には、ネットワーク側のスケジューラユニット３０２が送受信ユニット３０１の送信チャネルの送信時間と、無線周波数検出実行ユニット４０３の、隣接チャネル及び／又は送信チャネルにおける測定時間とを、異なるタイムゾーンに割り当てることで実現する。
【０１１１】
インターフェースユニット３０３ｂは、送受信ユニット３０１ｂと、送受信ユニット３０１ｂを使用する通信装置又はネットワークとのデータ伝送に用いられる。
【０１１２】
本発明に記載の無線周波数検出装置の動作過程は、以下の通りである。
【０１１３】
前記無線周波数検出装置が第１のバンドで送信チャネルを構成し、スケジューラユニット３０２が、第１のバンドで無線周波数検出装置によってサービスされた端末に、ダウンリンク伝送リソースを割り当てることだけではなく、更に、無線周波数検出制御ユニット４００の電力低減ウィンドウ要求情報に応じて第１のバンド及び／又は第１のバンドの隣接バンドで電力低減ウィンドウを開き、そして電力低減ウィンドウの現れた時間位置を無線周波数検出制御ユニット４００に送信し、無線周波数検出制御ユニット４００が電力低減ウィンドウの現れたタイムゾーンに検出ウィンドウを構成し、そして無線周波数検出実行ユニット４０３の、スケジューラユニット３０２によって制御された送信チャネル又は送信チャネルの隣接チャネルにおける無線周波数検出を制御する。
【０１１４】
本発明に記載の無線周波数検出実行ユニット４０３は、受信チャネル処理ユニット４０２、パラメータ推定及び信号復調ユニット４０７及び測定データ記憶ユニット４０８を含む。
【０１１５】
受信チャネル処理ユニットは、送信チャネル及び／又は送信チャネルの隣接チャネルにおいて、測定ウィンドウでの信号に対して無線周波数信号の低雑音増幅と変換処理を行うように構成される。
【０１１６】
パラメータ推定及び信号復調ユニットは、受信チャネル処理ユニットからの信号に対してパラメータ推定及び／又は信号復調を行う。
【０１１７】
測定データ記憶ユニット４０８は、パラメータ推定及び信号復調ユニット４０３の測定結果を記憶するように構成される。
【０１１８】
無線周波数検出実行ユニット４０３の１つの実現方式は、図４に示すように、調整可能なバンドパスフィルタ４０１、無線周波数電力減衰器／カプラー４０５、無線周波数スイッチ４０６、受信チャネル処理ユニット４０２、パラメータ推定及び信号復調ユニット４０７、測定データ記憶ユニット４０８を含む。
【０１１９】
調整可能なバンドパスフィルタは、アンテナユニットから無線周波数検出信号を受信するように構成される。
【０１２０】
無線周波数検出制御ユニット４００がネットワーク側から送信された制御情報に応じて、調整可能なバンドパスフィルタ４０１と受信チャネル処理ユニット４０２の中心周波数及びバンドを制御し、無線周波数電力減衰器／カプラー４０５の減衰量を制御し、パラメータ推定及び信号復調ユニット４０７の動作モードを制御する。
【０１２１】
無線周波数電力減衰器／カプラー４０５は、前記調整可能なバンドパスフィルタ４０１から出力された無線周波数信号に対して無線周波数信号電力減衰を行いうように構成され、減衰後の無線周波数信号が無線周波数スイッチ４０６を介して受信チャネル処理ユニット４０２に入力される。本発明に係る他の一つの実施形態において、無線周波数スイッチ４０６が含まれない、無線周波数電力減衰器／カプラー４０５から出力された信号は、前記受信チャネル処理ユニットに直接入力される。
【０１２２】
前記無線周波数検出装置は、無線周波数検出実行ユニット４０３のために、送受信ユニット３０１の送信チャネルの隣接チャネルに測定ウィンドウを構成し、及び送受信ユニット３０１の送信チャネルの所属するスケジューラユニットに電力低減ウィンドウを要求する無線周波数検出制御ユニット４００を含むことにある。
【０１２３】
好ましくは、前記無線周波数検出実行ユニット４０３は、受信チャネルにおいて、無線周波数電力減衰器／カプラー４０５及び測定データ記憶ユニット４０８を含む。
【０１２４】
前記無線周波数検出実行ユニット４０３は、その無線周波数受信チャネル処理ユニット４０２の実現方法が以下のいずれか１つである。
【０１２５】
１）送受信ユニット３０１の送信チャネルがＦＤＤシステム又は陸上テレビ放送のダウンリンクチャネルである場合、送受信ユニット３０１の送信チャネルに使用されたバンドで、無線周波数検出実行ユニット４０３の無線周波数受信チャネルがＦＤＤシステム又は陸上テレビ放送の通信端末の無線周波数受信チップを用いることによって実現する。送受信ユニット３０１の送信チャネルの隣接チャネルにおいて、隣接チャネルがＦＤＤシステム又は陸上テレビ放送のダウンリンクチャネルである場合、隣接チャネルでＦＤＤシステム又は陸上テレビ放送の通信端末の無線周波数受信チップを用いることによって実現される。隣接チャネルがＴＤＤシステムのダウンリンクチャネルである場合、隣接チャネルでＴＤＤシステム端末の無線周波数受信チップを用いることによって実現される。
２）送受信ユニット３０１の送信チャネルがＴＤＤシステムのダウンリンクチャネルである場合、送受信ユニット３０１の送信チャネルに使用されたバンドで、無線周波数検出実行ユニット４０３の無線周波数受信チャネルがＴＤＤシステムの通信端末の無線周波数受信チップを用いることによって実現される。送受信ユニット３０１の送信チャネルの隣接チャネルにおいて、隣接チャネルがＦＤＤシステム又は陸上テレビ放送のダウンリンクチャネルである場合、隣接チャネルでＦＤＤシステム又は陸上テレビ放送の通信端末の無線周波数受信チップを用いることによって実現される。隣接チャネルがＴＤＤシステムのダウンリンクチャネルである場合、隣接チャネルでＴＤＤシステム端末の無線周波数受信チップを用いることによって実現される。
【０１２６】
前記無線周波数検出実行ユニット４０３には、そのパラメータ推定及び信号復調ユニット４０７が端末受信ベースバンド処理チップ及び／又はデジタル処理装置によって実現される。
【０１２７】
ネットワーク側で、無線周波数検出実行ユニット４０３は、基地局のアンテナ位置又は基地局のＲＲＵ内に設置される。
【０１２８】
端末側で、無線周波数検出実行ユニット４０３は、端末の位置又は端末内に設置される。
【０１２９】
無線周波数検出制御ユニット４００は、デジタル処理装置によって実現され、具体的な実現方式は以下のいずれか１つである。
【０１３０】
１）パラメータ推定及び信号復調ユニット４０７と共に同一デジタル処理装置で実現される。
２）ベースバンド処理ユニットにおけるデジタル処理装置で実現される。
３）独立なデジタル処理装置によって実現される。
【０１３１】
ネットワーク側の無線周波数検出制御ユニット４００は、基地局のＢＵＵ内又はＢＵＵの位置に設置される。
【０１３２】
端末側の無線周波数検出制御ユニット４００ｂは、端末内又は端末の位置に設置される。
【０１３３】
図５は本発明に係る隣接チャネル無線周波数検出をサポートする無線周波数検出システムの構造図であり、当該システムは、隣接バンド測定管理ユニット５００、無線周波数検出実行ユニット４０３ａを含む無線アクセスポイント３００ａ、無線検出制御ユニット４００ａを含むＢＢＵユニット３０５ａ、無線周波数検出実行ユニット４０３ｂと無線周波数検出制御ユニット４００ｂを含む無線端末３００ｂを含む。
【０１３４】
隣接バンド測定管理ユニット５００は、ネットワーク側に位置するネットワーク要素または機能ユニットであり、隣接バンド測定管理ユニット５００が無線アクセスポイント３００ａにおける無線周波数検出実行ユニット４０３ａ及び／又は無線端末３００ｂにおける無線周波数検出実行ユニット４０３ａの実行必要な無線周波数検出アイテムを管理し、具体的な管理内容は、以下の少なくとも１つを含む。
【０１３５】
１）無線周波数検出制御ユニット４００ｂ及び／又は無線周波数検出制御ユニット４００ａに、無線アクセスポイント３００ａ及び／又は無線端末の送信チャネルの隣接チャネルの事前情報を送信する。
２）無線端末側の無線周波数検出制御ユニット４００ｂ及び／又は無線アクセスポイントの無線周波数検出制御ユニット４００ａに、検出アイテムトリガー情報を送信する。
３）無線端末側の無線周波数検出実行ユニット４０３ａ及び／又は無線端末側の無線周波数検出実行ユニット４０３ｂから測定結果を受信する。
【０１３６】
前記隣接バンドの事前情報は、隣接バンドにおけるチャネル幅とチャネルに使用される無線技術タイプを含む。
【０１３７】
本発明に記載のシステムの隣接バンドを測定する動作過程は、以下の通りである。
【０１３８】
隣接バンド測定管理ユニット５００が無線周波数検出制御ユニット４００ａ及び／又は無線周波数検出制御ユニット４００ｂに隣接チャネルの検出アイテムトリガー情報と事前情報を送信し、
無線周波数検出制御ユニット４００ａ及び／又は無線周波数検出制御ユニット４００ｂが、受信された隣接チャネルの検出アイテムトリガー情報と事前情報に応じて、その検出ウィンドウと電力低減ウィンドウを決定し、
無線周波数検出制御ユニット４００ａ及び／又は無線周波数検出制御ユニット４００ｂがスケジューラユニット３０２に電力低減ウィンドウ要求情報を送信し、
スケジューラユニット３０２が無線周波数検出制御ユニット４００ａ及び／又は無線周波数検出制御ユニット４００ｂに電力低減ウィンドウ要求確認情報を送信し、
スケジューラユニット３０２が無線周波数検出制御ユニット４００ａ及び／又は無線周波数検出制御ユニット４００ｂに対して電力低減ウィンドウ要求確認情報により指定された電力低減ウィンドウの位置に応じて、検出ウィンドウの位置を決定し、そして検出ウィンドウで隣接バンド測定管理ユニット５００から送信された検出アイテムに必要なデータ収集を実行し、更に検出アイテムを完了し、そして測定結果を隣接バンド測定管理ユニット５００に報告する。
【０１３９】
隣接バンド測定管理ユニット５００が無線周波数検出制御ユニット４００ａ及び／又は無線周波数検出制御ユニット４００ｂの測定結果に応じて無線アクセスポイント３００ａ及び／又は無線端末３００ｂの送信チャネルに最大送信電力を割り当て、又は、無線アクセスポイント３００ａ及び／又は無線端末３００ｂの送信チャネルにガードバンド幅を割り当てる。
【０１４０】
実施形態１：
本実施形態では、本発明に係る無線周波数検出装置の応用実例を、図３（ａ）と図３（ｂ）を参照して説明する。図３（ａ）に示された無線周波数検出機能を持つ無線アクセスポイント３００ａでは、送受信ユニット３０１ａに含まれる無線周波数チャネルは、ＬＴＥ  ＴＤＤ基地局の技術仕様に従って設計された無線周波数チャネルユニットＲＲＵであり、当該チャネルユニットの送信チャネルが４７０ＭＨｚ〜７９０ＭＨｚのテレビ放送の第１のアイドルバンドに構成される。送受信ユニット３０１ａの送受信チャネルが全て第１のアイドルバンドに位置する。送受信ユニット３０１ａに含まれるベースバンド処理ユニット（ＢＢＵ）３０５ａ及びそのスケジューラユニット３０２がネットワーク側に設置され、無線周波数検出制御ユニット４００がベースバンド処理ユニット（ＢＢＵ）３０５ａ内に設置され、無線周波数検出実行ユニット４０３ａと送受信ユニット３０１ａの無線周波数チャネルユニットＲＲＵが基地局の局アドレスに設置される。インターフェースユニット３０３ａは、標準通信インターフェースＣＰＲＩインターフェースに従って設計された通信インターフェースである。
【０１４１】
無線周波数検出制御ユニット４００とスケジューラユニット３０２との間には、電力低減ウィンドウパラメータを伝送する伝送チャネルが存在する。スケジューラユニット３０２が無線周波数検出制御ユニット４００に要求された電力低減ウィンドウのパラメータに応じて、それに制御された、第１のアイドルバンドに構成された送信チャネルにおいて、電力低減ウィンドウを開き、そして無線周波数検出制御ユニット４００がスケジューラユニット３０２からの電力低減ウィンドウ確認情報に応じて、標準通信インターフェースＣＰＲＩを介して無線検出実行ユニット４０３に測定制御コマンドを送信する。
【０１４２】
本実施形態では、前記無線周波数検出実行ユニット４０３ａの無線周波数受信チャネル処理ユニット４０２は、ＬＴＥ  ＴＤＤ端末の無線周波数受信チップと陸上テレビ放送の無線周波数受信チャネルチップによって実現される。ＬＴＥ  ＴＤＤ端末の無線周波数受信チップの無線周波数チャネルは、第１のアイドルバンドで無線周波数信号の低雑音増幅を行い、陸上テレビ放送の無線周波数受信チャネルチップは、第１のアイドルバンドの隣接バンドでテレビ放送信号に対して低雑音増幅を行う。
【０１４３】
本実施形態では、無線周波数検出実行ユニット４０３ａのパラメータ推定及び信号復調ユニット４０７がＬＴＥ  ＴＤＤ端末側のベースバンド処理チップと陸上テレビ放送受信機のベースバンド処理チップを含む。
【０１４４】
ネットワーク側で、無線周波数検出実行ユニット４０３は、ＬＴＥ  ＴＤＤ分布式基地局のＲＲＵ内に設置される。
【０１４５】
図３（ｂ）に示された無線周波数検出機能を持つ無線端末３００ｂでは、送受信ユニット３０１ｂに含まれる無線周波数チャネルがＬＴＥ  ＴＤＤ端末の技術仕様に従って設計された無線周波数チャネルユニットであり、当該チャネルユニットの送信チャネルが４７０ＭＨｚ〜７９０ＭＨｚのテレビ放送の第１のアイドルバンドに構成される。送受信ユニット３０１ｂの送受信チャネルが全て第１アイドルバンドに位置し、ＬＴＥ  ＴＤＤのエアインターフェース仕様に従って送受信ユニット３０１ａと通信リンクを確立する。送受信ユニット３０１ｂに含まれるベースバンド処理ユニット（ＢＢＵ）３０５ｂは、ＬＴＥ  ＴＤＤ技術仕様に従って実現された端末側のベースバンド処理チップであり、無線周波数検出制御ユニット４００の構成は、デジタル処理装置によって実現された１つの機能ユニットであり、無線周波数検出実行ユニット４０３ｂと無線周波数検出制御ユニット４００は、端末内又は端末の位置に設置される。インターフェースユニット３０３ｂは、無線ＬＡＮノードと通信する有線インターフェースである。
【０１４６】
無線検出制御ユニット４００ｂとネットワーク側のスケジューラユニット３０２との間には、電力低減ウィンドウパラメータを伝送する伝送チャネルが存在する。ネットワーク側のスケジューラユニット３０２が無線周波数検出制御ユニット４００ｂに要求された電力低減ウィンドウのパラメータに応じて、次のような原則に従って無線周波数検出実行ユニット４０３ｂのために第１のアイドルバンドで電力低減ウィンドウを開く。１）電力低減ウィンドウで現れたタイムゾーン及び周波数帯において、無線周波数検出制御ユニット４００ｂの所属する端末にアップリンクリソースを構成しない。２）電力低減ウィンドウで現れたタイムゾーン及び周波数帯において、第１のアイドルバンドでスケジューラユニット３０２に制御された他の端末にアップリンクリソースを構成しない。その後、スケジューラユニット３０２が電力低減ウィンドウ確認情報を送受信ユニット３０１ｂの受信チャネルを介して無線周波数検出制御ユニット４００ｂに送信し、無線周波数検出制御ユニット４００ｂがスケジューラユニット３０２からの電力低減ウィンドウ確認情報に応じて、対応する検出ウィンドウで所定の測定アイテムを完了するように無線周波数検出実行ユニット４０３ｂを制御する。
【０１４７】
本実施形態では、前記無線周波数検出実行ユニット４０３ｂの無線周波数受信チャネル処理ユニット４０２ｂは、ＬＴＥ  ＴＤＤ端末の無線周波数受信チップと陸上テレビ放送の無線周波数受信チャネルチップによって実現される。ＬＴＥ  ＴＤＤ端末の無線周波数受信チップの無線周波数チャネルは第１のアイドルバンドで無線周波数信号の低雑音増幅を行い、陸上テレビ放送の無線周波数受信チャネルチップは第１のアイドルバンドの隣接バンドでテレビ放送信号に対して低雑音増幅を行う。
【０１４８】
本実施形態では、無線周波数検出実行ユニット４０３ｂのパラメータ推定及び信号復調ユニット４０７がＬＴＥ  ＴＤＤ端末側のベースバンド処理チップと陸上テレビ放送受信機のベースバンド処理チップを含む。端末側で、無線周波数検出実行ユニット４０３ｂは、ＬＴＥ  ＴＤＤ端末内に設置され、又は端末と同じアドレスで設置される。
【０１４９】
実施形態２：
当該実施形態では、本発明に係る無線周波数検出システムの実施形態を、具体的には、図５を参照して説明する。テレビ放送バンドのアイドルバンドにおいてチャネルを構成する無線固定アクセスシステムであり、システムの構成方式は、図６ａと図６ｂを参照して説明する。
【０１５０】
本実施形態では、図５に示されたシステムは、１つの隣接バンド測定管理ユニット５００、無線周波数検出実行ユニット４０３ａを含む１つ以上の無線アクセスポイント３００ａ、無線周波数検出制御ユニット４００ａを含む１つのＢＢＵユニット３０５ａ、無線周波数検出実行ユニット４０３ｂと無線周波数検出制御ユニット４００ｂを含む１つ以上の無線端末３００ｂから構成される。具体的には、以下の通りである。
【０１５１】
送受信ユニット３０１ａに含まれる無線周波数チャネルは、ＬＴＥ  ＴＤＤ基地局の技術仕様に従って設計された無線周波数チャネルユニットＲＲＵであり、当該チャネルユニットが動作する第１のアイドルバンドが４７０ＭＨｚ〜７９０ＭＨｚのテレビ放送のアイドルバンドに位置する。送受信ユニット３０１ａの送受信チャネルが全て第１アイドルバンドに位置する。送受信ユニット３０１ａに含まれるベースバンド処理ユニット（ＢＢＵ）３０５ａ及びそのスケジューラユニット３０２ａがネットワーク側に構成され、無線周波数検出制御ユニット４００ａとスケジューラユニット３０２ａがベースバンド処理ユニット（ＢＢＵ）３０５ａ内に構成され、インターフェースユニット３０３ａは、ＣＰＲＩ標準通信インターフェースである。
【０１５２】
無線周波数検出実行ユニットを含む無線端末３００ｂの送受信ユニット３０１ａは、ＬＴＥ  ＴＤＤ端末の技術仕様に従って設計された送受信ユニットであり、それが動作する第１のアイドルバンドが送受信ユニット３０１ａと同じであり、送受信チャネルが４７０ＭＨｚ〜７９０ＭＨｚの範囲にある第１のアイドルバンドに構成される。
【０１５３】
隣接バンド測定管理ユニット５００は、ネットワークで連合リソース管理を行う機能ユニットであり、本実施形態では、隣接バンド測定管理ユニット５００が１つの独立な連合リソース管理装置の内部で実現され、前記連合リソース管理装置は、ＢＢＵの所在する位置に設置され、分散式連合リソース管理方式で隣接チャネル測定を管理する。隣接バンド測定管理ユニット５００の別の実現方式は、サービスゲートウェイ／アクセスゲートウェイ（ＳＧＷ／ＡＧＷ）位置に設置され、集中の方式で隣接チャネル測定管理を実現する。
【０１５４】
隣接バンド測定管理ユニット５００がネットワーク側で各無線アクセスポイントの動作バンドと動作バンドの隣接バンド、及び隣接バンドにおけるチャネルの無線技術タイプ情報を収集して記憶して、対応する無線アクセスポイント及び／又は無線端末の無線周波数検出制御ユニット４００ａ／ｂに送信し、隣接バンド測定管理ユニット５００が無線アクセスポイント３００ａ及び／又は無線端末３００ｂにおける無線検出ユニット４００ａ／ｂに測定管理情報を送信する。本実施形態では、隣接バンド測定管理ユニット５００が無線周波数検出ユニット４００ａ／ｂに隣接バンド幅１／バンド幅２（ＢＷ１／ＢＷ２）の事前情報を送信し、前記事前情報は、ＢＷ１とＢＷ２のバンド幅が８ＭＨｚであり、チャネルタイプが陸上デジタル放送チャネルである情報を含む。この事前情報によって、無線周波数検出制御ユニット４００ａ／ｂが無線周波数検出実行ユニット４０３ａ／ｂのためにＢＷ１とＢＷ２における受信チャネルのバンド幅、及びＢＷ１とＢＷ２における信号処理方式を決定する。
【０１５５】
本実施形態に示されたシステムは、隣接バンド測定管理ユニット５００の管理で、第１のアイドルバンドで構成されたＬＴＥ  ＴＤＤチャネルのために隣接バンドガードバンド幅を決定する機能を持つこともできる。以下、実例を挙げて、本実施形態に基づくシステムにより第１のアイドルバンドにおけるＬＴＥ  ＴＤＤチャネルとそれに隣接するテレビ放送チャネルとの間のガードバンド幅を決定する方法を説明する。
【０１５６】
隣接バンド測定管理ユニット５００は、ネットワーク側のＢＢＵにおける無線周波数検出制御ユニット４００ａに隣接チャネル電力測定アイテムインディケーションを送信し、ネットワーク側のＢＢＵにおける無線周波数検出制御ユニット４００ａは、第１のアイドルバンドにおけるＬＴＥ  ＴＤＤチャネルと隣接するテレビ放送チャネルに対して信号電力測定を行うように無線アクセスポイントにおける無線周波数検出実行ユニット４０３ａを制御し、そして測定結果Ｐ（ａ）を隣接バンド測定管理ユニット５００に報告する。
【０１５７】
隣接バンド測定管理ユニット５００が隣接チャネルの既存電力Ｐ（ａ）と隣接バンドに必要な信号／干渉比Ｒ（ｓ／ｎ）に応じて、隣接チャネルの許容可能な干渉電力Ｐ（ｎｏｉｓｅ）を決定する。
【０１５８】
Ｐ（ｎｏｉｓｅ）＝Ｐ（ａ）／Ｒ（ｓ／ｎ）
【０１５９】
本実施形態では、信号／干渉比Ｒ（ｓ／ｎ）＝ｘｄＢであり、典型的には、ｘ＝１０ｄＢである。
【０１６０】
隣接バンド測定管理ユニット５００が以前の測定又はＬＴＥ  ＴＤＤ送信チャネルの技術仕様によって得られた帯域外漏洩電力曲線に応じて、図７に示された曲線中の２０１を参照して、この帯域外漏洩電力曲線において、ＬＴＥ  ＴＤＤ送信チャネルのバンド幅がテレビ放送チャネルバンド幅に等しい場合のバンドＢＷ（ＴＶ）、指定された送信電力下で帯域外漏洩Ｐ（ａｃｌ）２１０がテレビ放送チャネルで許容可能な最大干渉電力Ｐ（ｎｏｉｓｅ）に等しい場合のＢＷ（ＴＶ）の中心周波数ｆ３を計算する。
【０１６１】
隣接バンド測定管理ユニット５００がＢＷ（ＴＶ）の中心周波数ｆ３とＬＴＥ  ＴＤＤ送信チャネルの中心周波数ｆ１との距離に応じてガードバンドの幅ＢＷ（ｇｕａｒｄ）を決定する。
【０１６２】
ＢＧ（ｇｕａｒｄ）＝Ｄ＿（ｆ１〜ｆ３）−０．５×（Ｂ１＋Ｂ２）
【０１６３】
具体的な方法では、Ｄ＿ｆ１／ｆ３が第１のアイドルバンドで構成されたチャネル中心周波数ｆ１と既存のテレビチャネルの中心周波数との距離である。アイドルバンドで構成されたチャネル中心周波数と既存のチャネルのガードバンド幅ＢＧ（ｇｕａｒｄ）は、Ｄ＿（ｆ１〜ｆ２）から、アイドルバンドにおけるチャネルバンド幅２１５（Ｂ２と記される）の２分の１と既存チャネルバンド幅２０５（Ｂ１と記する）の２分の１との和を減らすことである。
【０１６４】
以上は、本発明の最適的な実施形態に過ぎなく、本発明の保護範囲を限定することに用いられるものではない。
【産業上の利用可能性】
【０１６５】
本発明に係る無線周波数測定方法は、スケジューラユニットが時間周波数リソースに対する動的管理能力を利用してそれに制御される送信チャネルで測定ウィンドウの要求を満たして、ゼロ電力送信ウィンドウを柔軟に開くことを実現する。本発明に係る測定装置でのスケジューラユニットと測定ユニットに測定ウィンドウ情報及び／又はゼロ電力送信ウィンドウ情報を伝送する伝送チャネルが存在し、無線周波数検出ユニットが本発明に係るゼロ電力ウィンドウのオープン方法に従って、ローカル送信チャネルの隣接チャネルにおける既存の無線チャネル信号電力に対する測定及び／又は情報復調を実現できるだけでなく、ローカル送信機の帯域外漏洩電力及び／又は送信電力に対するオンライン測定も実現できる。本発明に係る無線周波数検出システムは、その動作チャネルと異局アドレス送信の隣接チャネルとの間のガードバンドの幅を自己適応的に確定できる。
【図１】
2013533710.tif 000003
【図２ａ】
2013533710.tif 000004
【図２ｂ】
2013533710.tif 000005
【図２ｖ】
2013533710.tif 000006
2013533710.tif 000007
【図４】
2013533710.tif 000008
【図６ａ】
2013533710.tif 000009
【図３ａ】
2013533710.tif 000010
【図３ｂ】
2013533710.tif 000011
【図５】
2013533710.tif 000012
【図６ｂ】
2013533710.tif 000013
【図７】
2013533710.tif 000014
【国際調査報告】
2013533710.tif 000015
2013533710.tif 000016
2013533710.tif 000017
2013533710.tif 000018